(57)【要約】【課題】  例えば、商品の取引に関して特定の時間内のみ有効な情報を提供し、商品の取引の安全性を高めることを目的とする。【解決手段】  取引情報管理装置１００において、注文情報受信部１０７が利用者端末３００から注文情報を受信する。合成情報生成部１０３が時刻情報と経時変化情報と注文情報を合成した注文用コードを生成する。注文登録部１０８が注文用コードの有効期間を設定し、注文情報を注文用コードと合わせて注文データベース１１６に登録する。注文情報出力部１１２が注文用コードによる照会に対し、注文用コードの有効期間を確認し、注文用コードの有効期間が終了していなければ、注文データベース１１６から注文用コードに対応する注文情報を検索し、利用者データベース１１４から注文情報に対応する利用者情報を検索し、検索した注文情報と利用者情報を出力する。【選択図】        図４
2006268416.tif 000002
【特許請求の範囲】
【請求項１】
商品の取引に係る取引情報を交換する業者端末と利用者端末と接続し、当該取引情報を管理する取引情報管理装置において、
商品を注文する利用者と当該利用者の決済手段とに関する利用者情報を予め記憶する利用者データベースと、
商品に関する商品情報を記憶する商品データベースと、
商品の注文に関する注文情報を、当該商品の注文に係る利用者情報と商品情報と対応付けて記憶する注文データベースと、
時刻を示す時刻情報と時刻の経過に伴って変化する経時変化情報とを入力する入力部と、
前記入力部が入力した時刻情報と経時変化情報とを合成して合成情報を生成する合成情報生成部と、
前記利用者データベースに記憶された利用者情報に基づいて、前記利用者端末を認証する利用者認証部と、
前記業者端末から商品情報を受信する商品情報受信部と、
前記商品情報受信部が受信した商品情報を特定する商品識別情報と合わせて当該商品情報を前記商品データベースに登録する商品登録部と、
前記商品登録部が登録した商品識別情報を出力する商品識別情報出力部と、
前記利用者認証部が認証した利用者端末から、前記商品識別情報出力部が出力した商品識別情報と合わせて注文情報を受信する注文情報受信部と、
前記注文情報受信部が受信した商品識別情報に対応する商品情報と前記注文情報受信部が受信した注文情報とを対応付け、当該注文情報に対する合成情報を注文識別情報として前記合成情報生成部に生成させ、生成された注文識別情報の有効期間を設定し、当該注文識別情報と合わせて当該注文情報を前記注文データベースに登録する注文登録部と、
前記注文登録部が登録した注文識別情報を出力する注文識別情報出力部と、
前記注文識別情報出力部が出力した注文識別情報による照会に対し、当該注文識別情報の有効期間を確認し、確認した結果に基づいて、前記注文データベースから当該注文識別情報に対応する注文情報を検索し、前記利用者データベースから当該注文情報に対応する利用者情報を検索し、検索した注文情報と利用者情報のうち少なくとも利用者の決済手段に関する情報とを出力する注文情報出力部とを備えることを特徴とする取引情報管理装置。
【請求項２】
前記注文情報出力部は、さらに、
前記注文識別情報出力部が出力した注文識別情報を生成するために前記合成情報生成部が用いた時刻情報と経時変化情報との少なくともいずれかを出力することを特徴とする請求項１に記載の取引情報管理装置。
【請求項３】
前記注文登録部は、
前記注文情報受信部が受信した注文情報に対する合成情報を注文識別情報として生成するために、前記入力部が入力した時刻情報と経時変化情報と当該注文情報の少なくとも一部とを前記合成情報生成部に合成させることを特徴とする請求項１又は２に記載の取引情報管理装置。
【請求項４】
前記商品登録部は、
前記商品情報受信部が受信した商品情報に対する合成情報を前記商品識別情報として前記合成情報生成部に生成させ、
前記取引情報管理装置は、さらに、
前記商品識別情報出力部が出力した商品識別情報による照会に対し、前記商品データベースから当該商品識別情報に対応する商品情報を検索し、検索した商品情報を出力する商品情報出力部を備えることを特徴とする請求項１から３までのいずれかに記載の取引情報管理装置。
【請求項５】
前記取引情報管理装置は、さらに、
商品を販売する業者に関する業者情報を予め記憶する業者データベースと、
前記業者データベースに記憶された業者情報に基づいて、前記業者端末を認証する業者認証部とを備え、
前記商品データベースは、
商品に関する商品情報を、当該商品に係る業者情報と対応付けて記憶し、
前記商品情報受信部は、
前記業者認証部が認証した業者端末から商品情報を受信し、
前記商品情報出力部は、さらに、
検索した商品情報に対応する業者情報を前記業者データベースから検索し、検索した業者情報の少なくとも一部を出力することを特徴とする請求項４に記載の取引情報管理装置。
【請求項６】
前記取引情報管理装置は、さらに、
商品の契約に関する契約情報を、少なくとも当該商品の契約に係る注文情報と対応付けて記憶する契約データベースと、
前記業者端末から、前記注文識別情報出力部が出力した注文識別情報と合わせて契約情報を受信する契約情報受信部と、
前記契約情報受信部が受信した注文識別情報に対応する注文情報と前記契約情報受信部が受信した契約情報とを対応付け、当該契約情報に対する合成情報を契約識別情報として前記合成情報生成部に生成させ、生成された契約識別情報と合わせて当該契約情報を前記契約データベースに登録する契約登録部と、
前記契約登録部が登録した契約識別情報を出力する契約識別情報出力部と、
前記契約識別情報出力部が出力した契約識別情報による照会に対し、前記契約データベースから当該契約識別情報に対応する契約情報を検索し、検索した契約情報を出力する契約情報出力部とを備えることを特徴とする請求項１から５までのいずれかに記載の取引情報管理装置。
【請求項７】
前記入力部は、
前記経時変化情報として気象情報を入力することを特徴とする請求項１から６までのいずれかに記載の取引情報管理装置。
【請求項８】
商品を注文する利用者と当該利用者の決済手段とに関する利用者情報を予め記憶する利用者データベースと、商品に関する商品情報を記憶する商品データベースと、商品の注文に関する注文情報を、当該商品の注文に係る利用者情報と商品情報と対応付けて記憶する注文データベースとを有し、商品の取引に係る取引情報を交換する業者端末と利用者端末と接続し、当該取引情報を管理する取引情報管理装置を用いる取引情報管理方法において、
時刻を示す時刻情報と時刻の経過に伴って変化する経時変化情報とを入力する入力ステップと、
前記入力ステップで入力した時刻情報と経時変化情報とを合成して合成情報を生成する合成情報生成ステップと、
前記利用者データベースに記憶された利用者情報に基づいて、前記利用者端末を認証する利用者認証ステップと、
前記業者端末から商品情報を受信する商品情報受信ステップと、
前記商品情報受信ステップで受信した商品情報を特定する商品識別情報と合わせて当該商品情報を前記商品データベースに登録する商品登録ステップと、
前記商品登録ステップで登録した商品識別情報を出力する商品識別情報出力ステップと、
前記利用者認証ステップで認証した利用者端末から、前記商品識別情報出力ステップで出力した商品識別情報と合わせて注文情報を受信する注文情報受信ステップと、
前記注文情報受信ステップで受信した商品識別情報に対応する商品情報と前記注文情報受信ステップで受信した注文情報とを対応付け、当該注文情報に対する合成情報を注文識別情報として前記合成情報生成ステップで生成させ、生成された注文識別情報の有効期間を設定し、当該注文識別情報と合わせて当該注文情報を前記注文データベースに登録する注文登録ステップと、
前記注文登録ステップで登録した注文識別情報を出力する注文識別情報出力ステップと、
前記注文識別情報出力ステップで出力した注文識別情報による照会に対し、当該注文識別情報の有効期間を確認し、確認した結果に基づいて、前記注文データベースから当該注文識別情報に対応する注文情報を検索し、前記利用者データベースから当該注文情報に対応する利用者情報を検索し、検索した注文情報と利用者情報のうち少なくとも利用者の決済手段に関する情報とを出力する注文情報出力ステップとを備えることを特徴とする取引情報管理方法。
【請求項９】
商品を注文する利用者と当該利用者の決済手段とに関する利用者情報を予め記憶する利用者データベースと、商品に関する商品情報を記憶する商品データベースと、商品の注文に関する注文情報を、当該商品の注文に係る利用者情報と商品情報と対応付けて記憶する注文データベースとを有し、商品の取引に係る取引情報を交換する業者端末と利用者端末と接続し、当該取引情報を管理する取引情報管理装置により実行される取引情報管理プログラムにおいて、
時刻を示す時刻情報と時刻の経過に伴って変化する経時変化情報とを入力する入力処理と、
前記入力処理が入力した時刻情報と経時変化情報とを合成して合成情報を生成する合成情報生成処理と、
前記利用者データベースに記憶された利用者情報に基づいて、前記利用者端末を認証する利用者認証処理と、
前記業者端末から商品情報を受信する商品情報受信処理と、
前記商品情報受信処理が受信した商品情報を特定する商品識別情報と合わせて当該商品情報を前記商品データベースに登録する商品登録処理と、
前記商品登録処理が登録した商品識別情報を出力する商品識別情報出力処理と、
前記利用者認証処理が認証した利用者端末から、前記商品識別情報出力処理が出力した商品識別情報と合わせて注文情報を受信する注文情報受信処理と、
前記注文情報受信処理が受信した商品識別情報に対応する商品情報と前記注文情報受信処理が受信した注文情報とを対応付け、当該注文情報に対する合成情報を注文識別情報として前記合成情報生成処理に生成させ、生成された注文識別情報の有効期間を設定し、当該注文識別情報と合わせて当該注文情報を前記注文データベースに登録する注文登録処理と、
前記注文登録処理が登録した注文識別情報を出力する注文識別情報出力処理と、
前記注文識別情報出力処理が出力した注文識別情報による照会に対し、当該注文識別情報の有効期間を確認し、確認した結果に基づいて、前記注文データベースから当該注文識別情報に対応する注文情報を検索し、前記利用者データベースから当該注文情報に対応する利用者情報を検索し、検索した注文情報と利用者情報のうち少なくとも利用者の決済手段に関する情報とを出力する注文情報出力処理とをコンピュータに実行させることを特徴とする取引情報管理プログラム。
【請求項１０】
商品の取引に係る取引情報を交換する業者端末と利用者端末と当該取引情報を管理する取引情報管理装置とを備える取引情報管理システムにおいて、
前記取引情報管理装置は、
商品を注文する利用者と当該利用者の決済手段とに関する利用者情報を予め記憶する利用者データベースと、
商品に関する商品情報を記憶する商品データベースと、
商品の注文に関する注文情報を、当該商品の注文に係る利用者情報と商品情報と対応付けて記憶する注文データベースと、
時刻を示す時刻情報と時刻の経過に伴って変化する経時変化情報とを入力する入力部と、
前記入力部が入力した時刻情報と経時変化情報とを合成して合成情報を生成する合成情報生成部と、
前記利用者データベースに記憶された利用者情報に基づいて、前記利用者端末を認証する利用者認証部と、
前記業者端末から商品情報を受信する商品情報受信部と、
前記商品情報受信部が受信した商品情報を特定する商品識別情報と合わせて当該商品情報を前記商品データベースに登録する商品登録部と、
前記商品登録部が登録した商品識別情報を出力する商品識別情報出力部と、
前記利用者認証部が認証した利用者端末から、前記商品識別情報出力部が出力した商品識別情報と合わせて注文情報を受信する注文情報受信部と、
前記注文情報受信部が受信した商品識別情報に対応する商品情報と前記注文情報受信部が受信した注文情報とを対応付け、当該注文情報に対する合成情報を注文識別情報として前記合成情報生成部に生成させ、生成された注文識別情報の有効期間を設定し、当該注文識別情報と合わせて当該注文情報を前記注文データベースに登録する注文登録部と、
前記注文登録部が登録した注文識別情報を出力する注文識別情報出力部と、
前記注文識別情報出力部が出力した注文識別情報による照会に対し、当該注文識別情報の有効期間を確認し、確認した結果に基づいて、前記注文データベースから当該注文識別情報に対応する注文情報を検索し、前記利用者データベースから当該注文情報に対応する利用者情報を検索し、検索した注文情報と利用者情報のうち少なくとも利用者の決済手段に関する情報とを出力する注文情報出力部とを備え、
前記利用者端末は、
前記業者端末から商品識別情報を取得する商品識別情報取得部と、
前記注文情報受信部に対し、前記商品識別情報取得部が取得した商品識別情報と合わせて注文情報を送信する注文情報送信部と、
前記業者端末に対し、前記注文識別情報出力部が出力した注文識別情報を提供する注文識別情報提供部とを備え、
前記業者端末は、
前記商品情報受信部に対し、商品情報を送信する商品情報送信部と、
前記利用者端末に対し、前記商品識別情報出力部が出力した商品識別情報を提供する商品識別情報提供部と、
前記利用者端末から注文識別情報を取得する注文識別情報取得部と、
前記注文情報出力部に対し、前記注文識別情報取得部が取得した注文識別情報により注文情報の照会を行う注文情報照会部と、
前記注文情報出力部が出力した注文情報と利用者情報のうち少なくとも利用者の決済手段に関する情報とを確認し、確認した結果に基づいて、商品の契約を行うかどうかを判断し、商品の契約を行うことを判断した場合、当該商品の契約に関する契約情報を生成する契約情報生成部とを備えることを特徴とする取引情報管理システム。
【発明の詳細な説明】
【技術分野】
【０００１】
本発明は、取引情報管理装置及び取引情報管理方法及び取引情報管理プログラム及び取引情報管理システムに関するものである。
【背景技術】
【０００２】
昨今、インターネット上の取引は活発化する一方であるが、クレジットカード決済を行う場合、購入者（利用者）は取引先の業者ごとにクレジットカード番号を入力しなければならない。クレジットカード番号は、他者に知られると悪用される可能性があるため、通常はＳＳＬ（Ｓｅｃｕｒｅ  Ｓｏｃｋｅｔ  Ｌａｙｅｒ）などを用いて暗号化して送信されている。しかし、この場合も送信されるデータを盗聴して解読することは不可能ではない。また、ネットワーク上の盗聴だけでなく、キーボードトレースにより入力時にクレジットカード番号が盗み見られる危険性もある。さらに、業者側の個人情報管理の杜撰さなどが原因でクレジットカード番号が漏れてしまうこともある。つまり、購入者がクレジットカード番号を直接入力し、クレジットカード番号がインターネットを介して送付され、業者がクレジットカード番号を知るという手順の中にはいくつもの危険性が潜んでいるといえる。クレジットカード決済に限らず、インターネット上の取引では、業者が、購入者が注文した商品と異なる商品を送ったり、何も商品を送らなかったり、購入者が、代金を支払わなかったりするなど、様々な問題が起こり得る。
【０００３】
上記のような問題に対し、従来の方法では、買い手が、氏名、住所、クレジットカード番号を含むユーザ情報を顧客情報管理会社へ登録し、顧客情報管理会社より登録したユーザ情報に対応するＩＤ（識別子）の通知を受け、このＩＤを宅配業者やショッピングサイトに通知して商品を注文していた（例えば、特許文献１参照）。
【特許文献１】特開２００２−４２０３６号公報
【特許文献２】特開２００１−２９７０６２号公報
【発明の開示】
【発明が解決しようとする課題】
【０００４】
従来の方法では、クレジットカード番号の代わりに顧客情報管理会社が作成するＩＤを用いて商品を注文することで、注文の際にクレジットカード番号を宅配業者やショッピングサイトに対して秘密にできたが、ＩＤが他人に盗まれるとそのＩＤが悪用されるかもしれないという課題があった。
【０００５】
本発明は、例えば、商品の取引に関して特定の時間内のみ有効な情報を提供し、商品の取引の安全性を高めることを目的とする。
【課題を解決するための手段】
【０００６】
本発明の取引情報管理装置は、
商品の取引に係る取引情報を交換する業者端末と利用者端末と接続し、当該取引情報を管理する取引情報管理装置において、
商品を注文する利用者と当該利用者の決済手段とに関する利用者情報を予め記憶する利用者データベースと、
商品に関する商品情報を記憶する商品データベースと、
商品の注文に関する注文情報を、当該商品の注文に係る利用者情報と商品情報と対応付けて記憶する注文データベースと、
時刻を示す時刻情報と時刻の経過に伴って変化する経時変化情報とを入力する入力部と、
前記入力部が入力した時刻情報と経時変化情報とを合成して合成情報を生成する合成情報生成部と、
前記利用者データベースに記憶された利用者情報に基づいて、前記利用者端末を認証する利用者認証部と、
前記業者端末から商品情報を受信する商品情報受信部と、
前記商品情報受信部が受信した商品情報を特定する商品識別情報と合わせて当該商品情報を前記商品データベースに登録する商品登録部と、
前記商品登録部が登録した商品識別情報を出力する商品識別情報出力部と、
前記利用者認証部が認証した利用者端末から、前記商品識別情報出力部が出力した商品識別情報と合わせて注文情報を受信する注文情報受信部と、
前記注文情報受信部が受信した商品識別情報に対応する商品情報と前記注文情報受信部が受信した注文情報とを対応付け、当該注文情報に対する合成情報を注文識別情報として前記合成情報生成部に生成させ、生成された注文識別情報の有効期間を設定し、当該注文識別情報と合わせて当該注文情報を前記注文データベースに登録する注文登録部と、
前記注文登録部が登録した注文識別情報を出力する注文識別情報出力部と、
前記注文識別情報出力部が出力した注文識別情報による照会に対し、当該注文識別情報の有効期間を確認し、確認した結果に基づいて、前記注文データベースから当該注文識別情報に対応する注文情報を検索し、前記利用者データベースから当該注文情報に対応する利用者情報を検索し、検索した注文情報と利用者情報のうち少なくとも利用者の決済手段に関する情報とを出力する注文情報出力部とを備えることを特徴とする。
【発明の効果】
【０００７】
本発明では、取引情報管理装置において、合成情報生成部が、時刻情報と経時変化情報とを合成して合成情報を生成し、利用者認証部が、利用者端末を認証し、商品情報受信部が、業者端末から商品情報を受信し、商品登録部が、商品情報受信部が受信した商品情報を特定する商品識別情報と合わせて当該商品情報を登録し、商品識別情報出力部が、商品登録部が登録した商品識別情報を出力し、注文情報受信部が、利用者認証部が認証した利用者端末から、商品識別情報出力部が出力した商品識別情報と合わせて注文情報を受信し、注文登録部が、注文情報受信部が受信した商品識別情報に対応する商品情報と注文情報受信部が受信した注文情報とを対応付け、当該注文情報に対する合成情報を注文識別情報として合成情報生成部に生成させ、生成された注文識別情報の有効期間を設定し、当該注文識別情報と合わせて当該注文情報を登録し、注文識別情報出力部が、注文登録部が登録した注文識別情報を出力し、注文情報出力部が、注文識別情報出力部が出力した注文識別情報による照会に対し、当該注文識別情報の有効期間を確認し、確認した結果に基づいて、当該注文識別情報に対応する注文情報を検索し、当該注文情報に対応する利用者情報を検索し、検索した注文情報と利用者情報のうち少なくとも利用者の決済手段に関する情報とを出力することにより、商品の取引に関して特定の時間内のみ有効な情報を提供し、商品の取引の安全性を高めることが可能となる。
【発明を実施するための最良の形態】
【０００８】
以下、本発明の実施の形態について、図を用いて説明する。
【０００９】
図１は、下記実施の形態における取引情報管理装置の外観の一例を示す図である。
【００１０】
図１において、取引情報管理装置１００は、システムユニット９１０、ＣＲＴ（Ｃａｔｈｏｄｅ  Ｒａｙ  Ｔｕｂｅ）表示装置９０１、キーボード（Ｋ／Ｂ）９０２、マウス９０３、コンパクトディスク装置（ＣＤＤ）９０５、プリンタ装置９０６、スキャナ装置９０７を備え、これらはケーブルで接続されている。さらに、取引情報管理装置１００は、ＦＡＸ機９３２、電話機９３１とケーブルで接続され、また、ローカルエリアネットワーク（ＬＡＮ）９４２、ゲートウェイ９４１を介してインターネット９４０に接続されている。
【００１１】
図２は、下記実施の形態における取引情報管理装置のハードウェア構成の一例を示す図である。
【００１２】
図２において、取引情報管理装置１００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６、スキャナ装置９０７と接続されている。
【００１３】
ＲＡＭ９１４は、揮発性メモリの一例である。ＲＯＭ９１３、ＦＤＤ９０４、ＣＤＤ９０５、磁気ディスク装置９２０は、不揮発性メモリの一例である。これらは、記憶装置あるいは記憶部の一例である。
【００１４】
通信ボード９１５は、ＦＡＸ機９３２、電話機９３１、ＬＡＮ９４２などに接続されている。
【００１５】
例えば、通信ボード９１５、Ｋ／Ｂ９０２、スキャナ装置９０７、ＦＤＤ９０４などは、入力部の一例である。また、例えば、通信ボード９１５、ＣＲＴ表示装置９０１などは、出力部の一例である。
【００１６】
ここで、通信ボード９１５は、ＬＡＮ９４２に限らず、直接、インターネット９４０、あるいはＩＳＤＮ（Ｉｎｔｅｇｒａｔｅｄ  Ｓｅｒｖｉｃｅｓ  Ｄｉｇｉｔａｌ  Ｎｅｔｗｏｒｋ）などのＷＡＮ（ワイドエリアネットワーク）に接続されていても構わない。直接、インターネット９４０、あるいはＩＳＤＮなどのＷＡＮに接続されている場合、取引情報管理装置１００は、インターネット９４０、あるいはＩＳＤＮなどのＷＡＮに接続され、ゲートウェイ９４１は不用となる。
【００１７】
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【００１８】
上記プログラム群９２３には、以下に述べる実施の形態の説明において「〜部」として説明する機能を実行するプログラムが記憶されている。プログラムは、ＣＰＵ９１１により読み出され実行される。
【００１９】
ファイル群９２４には、以下に述べる実施の形態の説明において、「〜の判定結果」、「〜の計算結果」、「〜の処理結果」として説明するものが、「〜ファイル」として記憶されている。また、ファイル群９２４の一部は、データベースを構成する。
【００２０】
また、以下に述べる実施の形態の説明において説明するフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）などのその他の記録媒体に記録される。あるいは、信号線やその他の伝送媒体により伝送される。
【００２１】
また、以下に述べる実施の形態の説明において「〜部」として説明するものは、ＲＯＭ９１３に記憶されたファームウェアで実現されていても構わない。あるいは、ソフトウェアのみ、あるいは、ハードウェアのみ、あるいは、ソフトウェアとハードウェアとの組み合わせ、さらには、ファームウェアとの組み合わせで実施されても構わない。
【００２２】
また、以下に述べる実施の形態を実施するプログラムは、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）などのその他の記録媒体による記録装置を用いて記憶されても構わない。
【００２３】
実施の形態１．
図３は、本実施の形態に係る取引情報管理システムの構成の一例を示す図である。
【００２４】
取引情報管理システムは、取引情報管理装置１００、業者端末２００、利用者端末３００、ネットワーク４００などにより構成される。
【００２５】
取引情報管理装置１００は契約センター１５０に設置され、ネットワーク４００に接続されている。取引情報管理装置１００は分散して設置されてもよく、その場合、契約センター１５０が複数の場所に敷設されていてもよい。
【００２６】
業者端末２００は、商品を販売する業者に利用される。利用者端末３００は、商品を注文する利用者に利用される。業者端末２００及び利用者端末３００はネットワーク４００に接続され、商品の取引に係る取引情報を交換する装置で、例えばパーソナルコンピュータ、ＰＤＡ（Ｐｅｒｓｏｎａｌ  Ｄｉｇｉｔａｌ  Ａｓｓｉｓｔａｎｔ）、携帯電話などである。業者端末２００及び利用者端末３００は、取引情報管理装置１００と通信を行う。業者端末２００及び利用者端末３００は、それぞれが複数存在してもよい。
【００２７】
ネットワーク４００は、ＬＡＮ、ＷＡＮ、インターネット、又はそれらの組み合わせ、あるいはその他の通信網であり、有線であるか無線であるかを問わない。
【００２８】
図４は、本実施の形態に係る取引情報管理装置の構成を示すブロック図である。
【００２９】
取引情報管理装置１００は、入力部１０１、業者認証部１０２、合成情報生成部１０３、利用者認証部１０４、商品情報受信部１０５、商品登録部１０６、注文情報受信部１０７、注文登録部１０８、商品識別情報出力部１０９、商品情報出力部１１０、注文識別情報出力部１１１、注文情報出力部１１２を備える。また、取引情報管理装置１００は、業者データベース１１３、利用者データベース１１４、商品データベース１１５、注文データベース１１６を備える。これらのデータベースは、例えば複数のディスク装置に実装されてもよいし、それぞれがディスク装置１つずつに実装されてもよいし、全てが１つのディスク装置に実装されてもよい。
【００３０】
業者データベース１１３は、業者に関する業者情報を記憶する。本実施の形態において、業者情報は、業者の企業名、所在地、電話番号、電子メールアドレス、業者端末２００のＭＡＣ（Ｍｅｄｉａ  Ａｃｃｅｓｓ  Ｃｏｎｔｒｏｌ）アドレスであり、予め業者データベース１１３に登録されている。業者情報は、他に、例えば業者のユーザＩＤ及びパスワードの組み合わせ、業者端末２００のＩＤ、ＩＰ（Ｉｎｔｅｒｎｅｔ  Ｐｒｏｔｏｃｏｌ）アドレス、電子証明書などを含んでいてもよい。
【００３１】
利用者データベース１１４は、利用者と利用者の決済手段とに関する利用者情報を記憶する。本実施の形態において、利用者に関する情報は、利用者の氏名、住所、電話番号、電子メールアドレス、利用者端末３００のＭＡＣアドレスであり、予め利用者データベース１１４に登録されている。また、本実施の形態において、利用者の決済手段に関する情報は、利用者のクレジットカード情報であり、予め利用者データベース１１４に登録されている。利用者に関する情報は、他に、例えば利用者の年齢、ユーザＩＤ及びパスワードの組み合わせ、利用者端末３００のＩＤ、ＩＰアドレス、電子証明書などを含んでいてもよい。また、利用者の決済手段に関する情報は、他に、例えば利用者の銀行口座番号などを含んでいてもよい。
【００３２】
商品データベース１１５は、商品に関する商品情報を、商品に係る業者情報と対応付けて記憶する。商品情報は、例えば商品名、型番、価格、写真などを含む。注文データベース１１６は、商品の注文に関する注文情報を、注文に係る利用者情報と商品情報と対応付けて記憶する。注文情報は、例えば注文の合計金額、商品の配送先、商品代金の請求先などを含む。
【００３３】
入力部１０１は、時刻を示す時刻情報と時刻の経過に伴って変化する経時変化情報とを入力する。時刻情報は、例えば現在の時刻であり、経時変化情報は、例えば気象衛星が撮影したその時点で最新の気象画像である。
【００３４】
業者認証部１０２は、取引情報管理装置１００にアクセスする業者端末２００からＭＡＣアドレスを取得し、業者データベース１１３に記憶された業者端末２００のＭＡＣアドレスと照合して、業者端末２００を認証する。利用者認証部１０４は、取引情報管理装置１００にアクセスする利用者端末３００からＭＡＣアドレスを取得し、利用者データベース１１４に記憶された利用者端末３００のＭＡＣアドレスと照合して、利用者端末３００を認証する。
【００３５】
合成情報生成部１０３は、入力部１０１が入力した時刻情報と経時変化情報とを合成して合成情報を生成する。合成情報の生成方法としては、例えば特許文献２に示された方法を用いることができる。本実施の形態では、合成情報は、時刻情報と経時変化情報とを合成したデータのハッシュ値、又はそのハッシュ値にさらに他の情報を合成したデータのハッシュ値とする。
【００３６】
本実施の形態では、商品情報を特定する商品識別情報の一例として、文字、数字、又はその組み合わせからなる商品用コードを用いる。また、本実施の形態では、商品用コードは、合成情報生成部１０３が時刻情報と経時変化情報とを合成したデータのハッシュ値にさらに商品情報を合成したデータのハッシュ値とする。ここで、時刻情報と経時変化情報と商品情報の一部のみを用いて生成した合成情報、時刻情報と経時変化情報とのみを合成した合成情報、又は任意に作成されたコードなどを用いることも可能である。
【００３７】
同様に、本実施の形態では、注文情報を特定する注文識別情報の一例として、文字、数字、又はその組み合わせからなる注文用コードを用いる。また、本実施の形態では、注文用コードは、合成情報生成部１０３が時刻情報と経時変化情報とを合成したデータのハッシュ値にさらに注文情報を合成したデータのハッシュ値とする。ここで、時刻情報と経時変化情報と注文情報の一部のみを用いて生成した合成情報、時刻情報と経時変化情報とのみを合成した合成情報、又は任意に作成されたコードなどを用いることも可能である。
【００３８】
商品情報受信部１０５は、業者認証部１０２が認証した業者端末２００から商品情報を受信する。商品登録部１０６は、商品情報受信部１０５が受信した商品情報の商品用コードを合成情報生成部１０３に生成させ、商品情報を、生成された商品用コードと合わせて商品データベース１１５に登録する。商品識別情報出力部１０９は、商品登録部１０６が登録した商品用コードを出力する。商品情報出力部１１０は、商品識別情報出力部１０９が出力した商品用コードによる照会に対し、商品データベース１１５からその商品用コードに対応する商品情報を検索し、検索した商品情報を出力する。また、商品情報出力部１１０は、検索した商品情報に対応する業者情報を業者データベース１１３から検索し、検索した業者情報のうち、例えば業者の企業名と電話番号を出力する。
【００３９】
注文情報受信部１０７は、利用者認証部１０４が認証した利用者端末３００から、商品識別情報出力部１０９が出力した商品用コードと合わせて注文情報を受信する。注文登録部１０８は、注文情報受信部１０７が受信した商品用コードに対応する商品情報と注文情報受信部１０７が受信した注文情報とを対応付け、注文情報の注文用コードを合成情報生成部１０３に生成させ、生成された注文用コードの有効期間を設定し、注文情報を注文用コードと合わせて注文データベース１１６に登録する。注文識別情報出力部１１１は、注文登録部１０８が登録した注文用コードを出力する。注文情報出力部１１２は、注文識別情報出力部１１１が出力した注文用コードによる照会に対し、注文用コードの有効期間を確認し、注文用コードの有効期間が終了していなければ、注文データベース１１６から注文用コードに対応する注文情報を検索し、利用者データベース１１４から注文情報に対応する利用者情報を検索し、検索した注文情報と利用者情報のうち、例えば利用者の氏名、住所、電話番号、クレジットカード情報を出力する。また、本実施の形態では、注文情報出力部１１２は、注文識別情報出力部１１１が出力した注文用コードを生成するために合成情報生成部１０３が用いた時刻情報と経時変化情報とを出力する。
【００４０】
図５は、本実施の形態に係る業者端末及び利用者端末の構成を示すブロック図である。
【００４１】
業者端末２００は、商品情報送信部２０１、商品識別情報提供部２０２、注文情報照会部２０３、注文識別情報取得部２０４、契約情報生成部２０５を備える。
【００４２】
商品情報送信部２０１は、取引情報管理装置１００の商品情報受信部１０５に対し、商品情報を送信する。商品識別情報提供部２０２は、利用者端末３００の商品識別情報取得部３０１に対し、取引情報管理装置１００の商品識別情報出力部１０９が出力した商品用コードを提供する。
【００４３】
注文識別情報取得部２０４は、利用者端末３００の注文識別情報提供部３０３から注文用コードを取得する。注文情報照会部２０３は、取引情報管理装置１００の注文情報出力部１１２に対し、注文識別情報取得部２０４が取得した注文用コードにより注文情報の照会を行う。契約情報生成部２０５は、取引情報管理装置１００の注文情報出力部１１２が出力した注文情報、利用者の氏名、住所、電話番号、クレジットカード情報を受信してこれらを確認し、在庫確認や与信などを行った上で、商品の契約を行うかどうかを判断する。また、契約情報生成部２０５は、契約を行うことを判断した場合、契約に関する契約情報を生成する。
【００４４】
利用者端末３００は、商品識別情報取得部３０１、商品情報照会部３０２、注文識別情報提供部３０３、注文情報送信部３０４を備える。
【００４５】
商品識別情報取得部３０１は、業者端末２００の商品識別情報提供部２０２から商品用コードを取得する。商品情報照会部３０２は、取引情報管理装置１００の商品情報出力部１１０に対し、商品識別情報取得部３０１が取得した商品用コードにより商品情報の照会を行い、取引情報管理装置１００の商品情報出力部１１０が出力した商品情報、業者の企業名、電話番号を受信する。注文情報送信部３０４は、取引情報管理装置１００の注文情報受信部１０７に対し、商品識別情報取得部３０１が取得した商品用コードと合わせて注文情報を送信する。
【００４６】
注文識別情報提供部３０３は、業者端末２００の注文識別情報取得部２０４に対し、取引情報管理装置１００の注文識別情報出力部１１１が出力した注文用コードを提供する。
【００４７】
図６は、本実施の形態における取引情報管理システムの通信手順の一例を示すシーケンス図である。
【００４８】
業者は、業者端末２００を利用して、予め契約センター１５０（取引情報管理装置１００）に業者登録を行う。同様に、利用者は、利用者端末３００を利用して、予め契約センター１５０の取引情報管理装置１００に利用者登録を行う。利用者は、利用者登録時にクレジットカード情報などを合わせて登録する。
【００４９】
まず、業者は、契約センター１５０に商品用コードの発行を依頼する。これに対し、契約センター１５０は、業者を認証した上で、商品用コードを発行する。業者は、契約センター１５０から商品用コードが発行されると、例えばインターネットサイトで、図７に例示する商品一覧画面にバッグなどの商品とともに各商品の商品用コード５００を掲載する。
【００５０】
次に、利用者は、例えば利用者端末３００で実行されるウェブブラウザを利用して、図７のような商品一覧画面を閲覧する。利用者は、業者や商品についての詳細な情報を知りたい場合、契約センター１５０に商品用コードによる照会を行う。これに対し、契約センター１５０は、その商品用コードに対応する商品情報や業者情報を回答する。利用者は、この商品情報や業者情報を参照し、商品を注文するかどうか決定する。商品一覧画面において、利用者が商品を注文するための注文ボタンをクリックすると、契約センター１５０に、該当する商品の商品用コード５００が送信されるとともに、注文用コードの発行が依頼される。これに対し、契約センター１５０は、利用者を認証した上で、注文用コードを発行する。利用者は、契約センター１５０から注文用コードが発行されると、業者のインターネットサイトから注文用コードとともに注文の内容を送信する。
【００５１】
契約センター１５０は、注文用コードを発行する際に、その注文用コードの有効期間を設定する。これにより、例えば注文用コードが第３者に知られてしまっても、その悪用を制限することができる。
【００５２】
次に、業者は、利用者からの注文の内容をチェックするため、契約センター１５０に、注文の内容と同時に受信した注文用コードによる照会を行う。これに対し、契約センター１５０は、その注文用コードに対応する注文情報（注文の内容）や利用者情報（クレジットカード情報など）を回答する。業者は、契約センターからの回答を確認した上で、注文を受け付け（契約を締結）、商品を利用者に発送する。その後、業者は、利用者に商品の発送を通知したり、クレジット会社を通じて代金を請求したりする。
【００５３】
業者は、注文用コードによる照会を行う際に、その注文用コードの生成に用いられた時刻情報や経時変化情報を問い合わせてもよい。この場合、契約センター１５０は、その注文用コードを発行した時刻、気象画像（経時変化情報の一例）を回答する。これにより、業者は、利用者が注文を行った時刻を容易に確認することができる。
【００５４】
上記のように、クレジットカード情報など、悪用される危険性の高い情報を、商品の取引を行うたびにネットワーク上でやり取りするのではなく、予め契約センター１５０に保管しておき、取引ごとの一時的なコードをやり取りすることで、安全な取引が可能となる。
【００５５】
図８、図９、図１０は、本実施の形態に係る取引情報管理システムの動作を示すフロー図である。
【００５６】
まず、取引情報管理装置１００において、業者認証部１０２は、取引情報管理装置１００にアクセスする業者端末２００からＭＡＣアドレスを取得し、業者データベース１１３に記憶された業者端末２００のＭＡＣアドレスと照合して、業者端末２００を認証する（ステップＳ１０１：業者認証ステップ／業者認証処理）。
【００５７】
次に、業者端末２００において、商品情報送信部２０１は、取引情報管理装置１００の商品情報受信部１０５に対し、商品情報を送信する（ステップＳ２０１）。
【００５８】
次に、取引情報管理装置１００において、商品情報受信部１０５は、ステップＳ１０１で業者認証部１０２が認証した業者端末２００の商品情報送信部２０１から商品情報を受信する（ステップＳ１０２：商品情報受信ステップ／商品情報受信処理）。入力部１０１は、時刻情報と経時変化情報とを入力する（ステップＳ１０３：入力ステップ／入力処理）。合成情報生成部１０３は、商品用コードとして、時刻情報と経時変化情報とを合成したデータのハッシュ値にさらに商品情報を合成したデータのハッシュ値を生成する（ステップＳ１０４：合成情報生成ステップ／合成情報生成処理）。商品登録部１０６は、商品情報を商品用コードと合わせて商品データベース１１５に登録する（ステップＳ１０５：商品登録ステップ／商品登録処理）。商品識別情報出力部１０９は、業者端末２００の商品識別情報提供部２０２に対し、ステップＳ１０５で商品登録部１０６が登録した商品用コードを出力する（ステップＳ１０６：商品識別情報出力ステップ／商品識別情報出力処理）。
【００５９】
次に、業者端末２００において、商品識別情報提供部２０２は、ステップＳ１０６で取引情報管理装置１００の商品識別情報出力部１０９が出力した商品用コードを受信し、利用者端末３００の商品識別情報取得部３０１に対し、この商品用コードを提供する（ステップＳ２０２）。
【００６０】
次に、利用者端末３００において、商品識別情報取得部３０１は、業者端末２００の商品識別情報提供部２０２から商品用コードを取得する（ステップＳ３０１）。商品情報照会部３０２は、取引情報管理装置１００の商品情報出力部１１０に対し、ステップＳ３０１で商品識別情報取得部３０１が取得した商品用コードにより商品情報の照会を行う（ステップＳ３０２）。
【００６１】
次に、取引情報管理装置１００において、商品情報出力部１１０は、利用者端末３００の商品情報照会部３０２からの商品用コードによる照会に対し、商品データベース１１５からその商品用コードに対応する商品情報を検索し（ステップＳ１０７）、検索した商品情報に対応する業者情報を業者データベース１１３から検索し（ステップＳ１０８）、利用者端末３００の商品情報照会部３０２に対し、検索した商品情報と業者情報を出力する（ステップＳ１０９）（ステップＳ１０７〜Ｓ１０９：商品情報出力ステップ／商品情報出力処理）。
【００６２】
次に、利用者端末３００において、商品情報照会部３０２は、ステップＳ１０９で取引情報管理装置１００の商品情報出力部１１０が出力した商品情報と業者情報とを受信する（ステップＳ３０３）。
【００６３】
次に、取引情報管理装置１００において、利用者認証部１０４は、取引情報管理装置１００にアクセスする利用者端末３００からＭＡＣアドレスを取得し、利用者データベース１１４に記憶された利用者端末３００のＭＡＣアドレスと照合して、利用者端末３００を認証する（ステップＳ１１０：利用者認証ステップ／利用者認証処理）。
【００６４】
次に、利用者端末３００において、注文情報送信部３０４は、取引情報管理装置１００の注文情報受信部１０７に対し、ステップＳ３０１で商品識別情報取得部３０１が取得した商品用コードと合わせて注文情報を送信する（ステップＳ３０４）。
【００６５】
次に、取引情報管理装置１００において、注文情報受信部１０７は、ステップＳ１１０で利用者認証部１０４が認証した利用者端末３００の注文情報送信部３０４から、商品用コードと合わせて注文情報を受信する（ステップＳ１１１：注文情報受信ステップ／注文情報受信処理）。注文登録部１０８は、注文情報受信部１０７が受信した商品用コードに対応する商品情報と注文情報受信部１０７が受信した注文情報とを対応付ける（ステップＳ１１２）。入力部１０１は、時刻情報と経時変化情報とを入力する（ステップＳ１１３）。合成情報生成部１０３は、注文用コードとして、時刻情報と経時変化情報とを合成したデータのハッシュ値にさらに注文情報を合成したデータのハッシュ値を生成する（ステップＳ１１４）。注文登録部１０８は、注文用コードの有効期間を設定し（ステップＳ１１５）、注文情報を注文用コードと合わせて注文データベース１１６に登録する（ステップＳ１１６）（ステップＳ１１２〜Ｓ１１６：注文登録ステップ／注文登録処理）。注文識別情報出力部１１１は、利用者端末３００の注文識別情報提供部３０３に対し、ステップＳ１１６で注文登録部１０８が登録した注文用コードを出力する（ステップＳ１１７：注文識別情報出力ステップ／注文識別情報出力処理）。
【００６６】
次に、利用者端末３００において、注文識別情報提供部３０３は、ステップＳ１１７で取引情報管理装置１００の注文識別情報出力部１１１が出力した注文用コードを受信し、業者端末２００の注文識別情報取得部２０４に対し、この注文用コードを提供する（ステップＳ３０５）。
【００６７】
次に、業者端末２００において、注文識別情報取得部２０４は、利用者端末３００の注文識別情報提供部３０３から注文用コードを取得する（ステップＳ２０３）。注文情報照会部２０３は、取引情報管理装置１００の注文情報出力部１１２に対し、ステップＳ２０３で注文識別情報取得部２０４が取得した注文用コードにより注文情報の照会を行う（ステップＳ２０４）。
【００６８】
次に、取引情報管理装置１００において、注文情報出力部１１２は、業者端末２００の注文情報照会部２０３からの注文用コードによる照会に対し、注文用コードの有効期間を確認し（ステップＳ１１８）、注文用コードの有効期間が終了していなければ、注文データベース１１６から注文用コードに対応する注文情報を検索し（ステップＳ１１９）、利用者データベース１１４から注文情報に対応する利用者情報を検索し（ステップＳ１２０）、業者端末２００の契約情報生成部２０５に対し、検索した注文情報と利用者情報とを出力する（ステップＳ１２１）（ステップＳ１１８〜Ｓ１２１：注文情報出力ステップ／注文情報出力処理）。
【００６９】
最後に、業者端末２００において、契約情報生成部２０５は、ステップＳ１２１で取引情報管理装置１００の注文情報出力部１１２が出力した注文情報と利用者情報とを受信して（ステップＳ２０５）これらを確認し（ステップＳ２０６）、在庫確認や与信などを行った上で、商品の契約を行うかどうかを判断する。また、契約情報生成部２０５は、契約を行うことを判断した場合、契約情報を生成する（ステップＳ２０７）。
【００７０】
以上のように、本実施の形態では、取引情報管理装置において、合成情報生成部が、時刻情報と経時変化情報とを合成して合成情報を生成し、利用者認証部が、利用者端末を認証し、商品情報受信部が、業者端末から商品情報を受信し、商品登録部が、商品情報受信部が受信した商品情報を特定する商品識別情報と合わせて当該商品情報を登録し、商品識別情報出力部が、商品登録部が登録した商品識別情報を出力し、注文情報受信部が、利用者認証部が認証した利用者端末から、商品識別情報出力部が出力した商品識別情報と合わせて注文情報を受信し、注文登録部が、注文情報受信部が受信した商品識別情報に対応する商品情報と注文情報受信部が受信した注文情報とを対応付け、当該注文情報に対する合成情報を注文識別情報として合成情報生成部に生成させ、生成された注文識別情報の有効期間を設定し、当該注文識別情報と合わせて当該注文情報を登録し、注文識別情報出力部が、注文登録部が登録した注文識別情報を出力し、注文情報出力部が、注文識別情報出力部が出力した注文識別情報による照会に対し、当該注文識別情報の有効期間を確認し、確認した結果に基づいて、当該注文識別情報に対応する注文情報を検索し、当該注文情報に対応する利用者情報を検索し、検索した注文情報と利用者情報のうち少なくとも利用者の決済手段に関する情報とを出力することにより、商品の取引に関して特定の時間内のみ有効な情報を提供し、商品の取引の安全性を高めることが可能となる。
【００７１】
また、本実施の形態では、取引情報管理装置において、注文情報出力部が、注文識別情報出力部が出力した注文識別情報を生成するために合成情報生成部が用いた時刻情報と経時変化情報との少なくともいずれかを出力することにより、注文識別情報の正当性を確認することが可能となる。
【００７２】
また、本実施の形態では、取引情報管理装置において、注文登録部が、注文情報受信部が受信した注文情報に対する合成情報を注文識別情報として生成するために、時刻情報と経時変化情報と当該注文情報の少なくとも一部とを合成情報生成部に合成させることにより、注文情報の正当性を確認することが可能となる。
【００７３】
また、本実施の形態では、取引情報管理装置において、商品登録部が、商品情報受信部が受信した商品情報に対する合成情報を商品識別情報として合成情報生成部に生成させ、商品情報出力部が、商品識別情報出力部が出力した商品識別情報による照会に対し、当該商品識別情報に対応する商品情報を検索し、検索した商品情報を出力することにより、商品情報が登録された時刻を証明することが可能となる。
【００７４】
また、本実施の形態では、取引情報管理装置において、業者認証部が、業者端末を認証し、商品情報受信部が、業者認証部が認証した業者端末から商品情報を受信し、商品情報出力部が、検索した商品情報に対応する業者情報を検索し、検索した業者情報の少なくとも一部を出力することにより、利用者が商品ごとにその商品を販売する業者に関する情報を確認することができる。
【００７５】
また、本実施の形態では、経時変化情報が気象情報であることにより、利用者又は業者にとって識別しやすい情報を利用することが可能となる。
【００７６】
また、本実施の形態では、取引情報管理方法において、合成情報生成ステップで、時刻情報と経時変化情報とを合成して合成情報を生成し、利用者認証ステップで、利用者端末を認証し、商品情報受信ステップで、業者端末から商品情報を受信し、商品登録ステップで、商品情報受信ステップで受信した商品情報を特定する商品識別情報と合わせて当該商品情報を登録し、商品識別情報出力ステップで、商品登録ステップで登録した商品識別情報を出力し、注文情報受信ステップで、利用者認証ステップで認証した利用者端末から、商品識別情報出力ステップで出力した商品識別情報と合わせて注文情報を受信し、注文登録ステップで、注文情報受信ステップで受信した商品識別情報に対応する商品情報と注文情報受信ステップで受信した注文情報とを対応付け、当該注文情報に対する合成情報を注文識別情報として合成情報生成部に生成させ、生成された注文識別情報の有効期間を設定し、当該注文識別情報と合わせて当該注文情報を登録し、注文識別情報出力ステップで、注文登録ステップで登録した注文識別情報を出力し、注文情報出力ステップで、注文識別情報出力ステップで出力した注文識別情報による照会に対し、当該注文識別情報の有効期間を確認し、確認した結果に基づいて、当該注文識別情報に対応する注文情報を検索し、当該注文情報に対応する利用者情報を検索し、検索した注文情報と利用者情報のうち少なくとも利用者の決済手段に関する情報とを出力することにより、商品の取引に関して特定の時間内のみ有効な情報を提供し、商品の取引の安全性を高めることが可能となる。
【００７７】
また、本実施の形態では、取引情報管理プログラムにおいて、合成情報生成処理が、時刻情報と経時変化情報とを合成して合成情報を生成し、利用者認証処理が、利用者端末を認証し、商品情報受信処理が、業者端末から商品情報を受信し、商品登録処理が、商品情報受信処理が受信した商品情報を特定する商品識別情報と合わせて当該商品情報を登録し、商品識別情報出力処理が、商品登録処理が登録した商品識別情報を出力し、注文情報受信処理が、利用者認証処理が認証した利用者端末から、商品識別情報出力処理が出力した商品識別情報と合わせて注文情報を受信し、注文登録処理が、注文情報受信処理が受信した商品識別情報に対応する商品情報と注文情報受信処理が受信した注文情報とを対応付け、当該注文情報に対する合成情報を注文識別情報として合成情報生成処理に生成させ、生成された注文識別情報の有効期間を設定し、当該注文識別情報と合わせて当該注文情報を登録し、注文識別情報出力処理が、注文登録処理が登録した注文識別情報を出力し、注文情報出力処理が、注文識別情報出力処理が出力した注文識別情報による照会に対し、当該注文識別情報の有効期間を確認し、確認した結果に基づいて、当該注文識別情報に対応する注文情報を検索し、当該注文情報に対応する利用者情報を検索し、検索した注文情報と利用者情報のうち少なくとも利用者の決済手段に関する情報とを出力することにより、商品の取引に関して特定の時間内のみ有効な情報を提供し、商品の取引の安全性を高めることが可能となる。
【００７８】
実施の形態２．
本実施の形態に係る取引情報管理システムの構成は、例えば、図３に示した実施の形態１のものと同様である。以下では、本実施の形態について、主に実施の形態１と異なる部分について説明する。
【００７９】
図１１は、本実施の形態に係る取引情報管理装置の構成を示すブロック図である。以下では、図４に示した実施の形態１に係る取引情報管理装置の構成と異なる部分について説明する。
【００８０】
取引情報管理装置１００は、契約情報受信部１１８、契約登録部１１９、契約識別情報出力部１２０、契約情報出力部１２１を備える。また、取引情報管理装置１００は、契約データベース１１７を備える。
【００８１】
契約データベース１１７は、契約情報を、契約に係る注文情報と対応付けて記憶する。契約情報は、例えば契約の合計金額、商品の発送手段、商品の発送予定日などを含む。
【００８２】
本実施の形態では、契約情報を特定する契約識別情報の一例として、文字、数字、又はその組み合わせからなる契約用コードを用いる。また、本実施の形態では、契約用コードは、合成情報生成部１０３が時刻情報と経時変化情報とを合成したデータのハッシュ値にさらに契約情報を合成したデータのハッシュ値とする。ここで、時刻情報と経時変化情報と契約情報の一部のみを用いて生成した合成情報、時刻情報と経時変化情報とのみを合成した合成情報、又は任意に作成されたコードなどを用いることも可能である。
【００８３】
契約情報受信部１１８は、業者端末２００から、注文識別情報出力部１１１が出力した注文用コードと合わせて契約情報を受信する。契約登録部１１９は、契約情報受信部１１８が受信した注文用コードに対応する注文情報と契約情報受信部１１８が受信した契約情報とを対応付け、契約情報受信部１１８が受信した契約情報の契約用コードを合成情報生成部１０３に生成させ、契約情報を、生成された契約用コードと合わせて契約データベース１１７に登録する。契約識別情報出力部１２０は、契約登録部１１９が登録した契約用コードを出力する。契約情報出力部１２１は、契約識別情報出力部１２０が出力した契約用コードによる照会に対し、契約データベース１１７からその契約用コードに対応する契約情報を検索し、検索した契約情報を出力する。
【００８４】
図１２は、本実施の形態に係る業者端末及び利用者端末の構成を示すブロック図である。以下では、図５に示した実施の形態１に係る業者端末及び利用者端末の構成と異なる部分について説明する。
【００８５】
業者端末２００は、契約識別情報提供部２０６を備える。
【００８６】
契約識別情報提供部２０６は、利用者端末３００の契約識別情報取得部３０５に対し、取引情報管理装置１００の契約識別情報出力部１２０が出力した契約用コードを提供する。
【００８７】
利用者端末３００は、契約識別情報取得部３０５、契約情報照会部３０６を備える。
【００８８】
契約識別情報取得部３０５は、業者端末２００の契約識別情報提供部２０６から契約用コードを取得する。契約情報照会部３０６は、取引情報管理装置１００の契約情報出力部１２１に対し、契約識別情報取得部３０５が取得した契約用コードにより契約情報の照会を行い、取引情報管理装置１００の契約情報出力部１２１が出力した契約情報を受信する。
【００８９】
図１３は、本実施の形態における取引情報管理システムの通信手順の一例を示すシーケンス図である。図１３において、業者が契約センター１５０から利用者情報の回答を受信するまでの手順は、図６に示した実施の形態１のものと同様である。
【００９０】
業者は、注文を受け付けると、契約センター１５０に注文用コードを送信して、契約用コードの発行を依頼する。これに対し、契約センター１５０は、契約用コードを発行する。業者は、契約用コードが発行されると、この契約用コードと契約の内容（契約証明）を利用者に通知する。
【００９１】
利用者は、契約証明を通知されると、契約センター１５０に、契約証明に含まれる契約用コードにより照会を行う。これに対し、契約センター１５０は、その契約用コードに対応する契約情報（契約の内容）を回答する。
【００９２】
業者は、商品を利用者に発送し、その後、利用者に商品の発送を通知したり、クレジット会社を通じて代金を請求したりする（このとき、契約用コードを付けて請求を行う）。
【００９３】
図１４及び図１５は、本実施の形態に係る取引情報管理システムの動作を示すフロー図である。本実施の形態に係る取引情報管理システムは、図８、図９、図１０に示した実施の形態１のものと同様の動作を行った後、図１４及び図１５に示す動作を行う。
【００９４】
図１０のステップＳ２０７の後、業者端末２００において、契約情報生成部２０５は、取引情報管理装置１００の契約情報受信部１１８に対し、注文用コードと合わせて契約情報を送信する（ステップＳ２０８）。
【００９５】
次に、取引情報管理装置１００において、契約情報受信部１１８は、業者端末２００の契約情報生成部２０５から、注文用コードと合わせて契約情報を受信する（ステップＳ１２２：契約情報受信ステップ／契約情報受信処理）。契約登録部１１９は、ステップＳ１２２で契約情報受信部１１８が受信した注文用コードに対応する注文情報と契約情報受信部１１８が受信した契約情報とを対応付ける（ステップＳ１２３）。入力部１０１は、時刻情報と経時変化情報とを入力する（ステップＳ１２４）。合成情報生成部１０３は、契約用コードとして、時刻情報と経時変化情報とを合成したデータのハッシュ値にさらに契約情報を合成したデータのハッシュ値を生成する（ステップＳ１２５）。契約登録部１１９は、契約情報を契約用コードと合わせて契約データベース１１７に登録する（ステップＳ１２６）（ステップＳ１２３〜Ｓ１２６：契約登録ステップ／契約登録処理）。契約識別情報出力部１２０は、業者端末２００の契約識別情報提供部２０６に対し、ステップＳ１２６で契約登録部１１９が登録した契約用コードを出力する（ステップＳ１２７：契約識別情報出力ステップ／契約識別情報出力処理）。
【００９６】
次に、業者端末２００において、契約識別情報提供部２０６は、ステップＳ１２７で取引情報管理装置１００の契約識別情報出力部１２０が出力した契約用コードを受信し、利用者端末３００の契約識別情報取得部３０５に対し、この契約用コードを提供する（ステップＳ２０９）。
【００９７】
次に、利用者端末３００において、契約識別情報取得部３０５は、業者端末２００の契約識別情報提供部２０６から契約用コードを取得する（ステップＳ３０６）。契約情報照会部３０６は、取引情報管理装置１００の契約情報出力部１２１に対し、ステップＳ３０６で契約識別情報取得部３０５が取得した契約用コードにより契約情報の照会を行う（ステップＳ３０７）。
【００９８】
次に、取引情報管理装置１００において、利用者端末３００の契約識別情報取得部３０５からの契約用コードによる照会に対し、契約データベース１１７からその契約用コードに対応する契約情報を検索し（ステップＳ１２８）、利用者端末３００の契約情報照会部３０６に対し、検索した契約情報を出力する（ステップＳ１２９）（ステップＳ１２８、Ｓ１２９：契約情報出力ステップ／契約情報出力処理）。
【００９９】
最後に、利用者端末３００において、契約情報照会部３０６は、ステップＳ１２９で取引情報管理装置１００の契約情報出力部１２１が出力した契約情報を受信する（ステップＳ３０８）。
【０１００】
以上のように、本実施の形態では、取引情報管理装置において、契約情報受信部が、業者端末から、注文識別情報出力部が出力した注文識別情報と合わせて契約情報を受信し、契約登録部が、契約情報受信部が受信した注文識別情報に対応する注文情報と契約情報受信部が受信した契約情報とを対応付け、当該契約情報に対する合成情報を契約識別情報として合成情報生成部に生成させ、生成された契約識別情報と合わせて当該契約情報を登録し、契約識別情報出力部が、契約登録部が登録した契約識別情報を出力すると、契約情報出力部が、契約識別情報出力部が出力した契約識別情報による照会に対し、当該契約識別情報に対応する契約情報を検索し、検索した契約情報を出力することにより、契約の内容を確認するとともに、契約情報が登録された時刻を証明することが可能となる。
【図面の簡単な説明】
【０１０１】
【図１】実施の形態１又は２における取引情報管理装置の外観の一例を示す図。
【図２】実施の形態１又は２における取引情報管理装置のハードウェア構成の一例を示す図。
【図３】実施の形態１に係る取引情報管理システムの構成の一例を示す図。
【図４】実施の形態１に係る取引情報管理装置の構成を示すブロック図。
【図５】実施の形態１に係る業者端末及び利用者端末の構成を示すブロック図。
【図６】実施の形態１における取引情報管理システムの通信手順の一例を示すシーケンス図。
【図７】実施の形態１における商品一覧画面の一例を示す図。
【図８】実施の形態１に係る取引情報管理システムの動作を示すフロー図（１／３）。
【図９】実施の形態１に係る取引情報管理システムの動作を示すフロー図（２／３）。
【図１０】実施の形態１に係る取引情報管理システムの動作を示すフロー図（３／３）。
【図１１】実施の形態２に係る取引情報管理装置の構成を示すブロック図。
【図１２】実施の形態２に係る業者端末及び利用者端末の構成を示すブロック図。
【図１３】実施の形態２における取引情報管理システムの通信手順の一例を示すシーケンス図。
【図１４】実施の形態２に係る取引情報管理システムの動作を示すフロー図（１／２）。
【図１５】実施の形態２に係る取引情報管理システムの動作を示すフロー図（２／２）。
【符号の説明】
【０１０２】
１００  取引情報管理装置、１０１  入力部、１０２  業者認証部、１０３  合成情報生成部、１０４  利用者認証部、１０５  商品情報受信部、１０６  商品登録部、１０７  注文情報受信部、１０８  注文登録部、１０９  商品識別情報出力部、１１０  商品情報出力部、１１１  注文識別情報出力部、１１２  注文情報出力部、１１３  業者データベース、１１４  利用者データベース、１１５  商品データベース、１１６  注文データベース、１１７  契約データベース、１１８  契約情報受信部、１１９  契約登録部、１２０  契約識別情報出力部、１２１  契約情報出力部、１５０  契約センター、２００  業者端末、２０１  商品情報送信部、２０２  商品識別情報提供部、２０３  注文情報照会部、２０４  注文識別情報取得部、２０５  契約情報生成部、２０６  契約識別情報提供部、３００  利用者端末、３０１  商品識別情報取得部、３０２  商品情報照会部、３０３  注文識別情報提供部、３０４  注文情報送信部、３０５  契約識別情報取得部、３０６  契約情報照会部、４００  ネットワーク、５００  商品用コード、９０１  ＣＲＴ表示装置、９０２  Ｋ／Ｂ、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話機、９３２  ＦＡＸ機、９４０  インターネット、９４１  ゲートウェイ、９４２  ＬＡＮ。
【図１】
2006268416.tif 000003
【図２】
2006268416.tif 000004
【図３】
2006268416.tif 000005
【図４】
2006268416.tif 000006
【図５】
2006268416.tif 000007
【図６】
2006268416.tif 000008
【図７】
2006268416.tif 000009
【図８】
2006268416.tif 000010
【図９】
2006268416.tif 000011
【図１０】
2006268416.tif 000012
【図１１】
2006268416.tif 000013
【図１２】
2006268416.tif 000014
【図１３】
2006268416.tif 000015
【図１４】
2006268416.tif 000016
【図１５】
2006268416.tif 000017